(57)【要約】【課題】首部を指圧する首指圧器において、持ち運び可能で、使用する人の体格に応じてサイズを選択でき、かつ、充分な指圧効果が得られる簡易な構造の首指圧器を提供する。【解決手段】首指圧器９は、ハブ部４が中心に位置していて、ハブ部４から３組の指圧体１、２及び３が遠心方向に伸びている。指圧体１は、指状の指圧体１１と１２から構成され、指圧体２は指圧体２１と２２から、指圧体３は指圧体３１と３２からそれぞれ構成されている。指圧体１が上を向くように置くと指圧体２と指圧体３が４本の脚となり安定する。このとき、指圧体１に仰向きの横臥姿勢で首を載せることにより首部に指圧効果が得られる。同様に、指圧体２又は指圧体３を上に位置するように置くことで指圧体先端部の間隔ａ、ｂ、ｃを選択することができる。【選択図】図１
2004321443.tif 000002
【特許請求の範囲】
【請求項１】
ハブ部と、該ハブ部の軸に対して平行でそれぞれ所定間隔を隔てた２本１組で、該軸に対して遠心方向に３方に突出した３組の指圧体とからなり、３組の該指圧体の内の２組の該指圧体で残りの１組の該指圧体を上方に突出させ、上方に突出した１組の該指圧体で首の背面部を指圧するようにしたことを特徴とする首指圧器。
【請求項２】
前記ハブ部及び前記指圧体は、硬質部材である請求項１記載の首指圧器。
【請求項３】
２本１組の前記指圧体の先端部の間隔は、３組それぞれ異なっていることを特徴とする請求項１又は請求項２記載の首指圧器。
【請求項４】
２本１組の前記指圧体の先端部の間隔は、３組とも同一であることを特徴とする請求項１又は請求項２記載の首指圧器。
【請求項５】
前記指圧体は前記ハブ部に対して着脱可能であることを特徴とする請求項１〜請求項４記載の首指圧器。
【発明の詳細な説明】
【０００１】
【発明の属する技術分野】
本発明は、横臥姿勢で首の背面部に当てることにより指圧効果が得られる首指圧器に関する。
【０００２】
【従来の技術】
従来、首や肩の凝りで悩む人は多く、その解消方法として古来より人の手によるマッサージや指圧が行われている。また、機械的な装置や器具も考案され実用に供されていて、それなりに効果のあることも知られている。
例えば、特許文献１には、マッサージの対象部位として、首、肩、腰などを対象とした電力により駆動される機械式マッサージ装置が開示されている。
特許文献１のマッサージ装置は、いわゆる”つぼ”などのまわりを円を描くように押圧部材でマッサージするもので、押圧部材の軸を電気モータにより回転させることにより押圧部が円を描くように動く機構としている。
また、特許文献２には、マッサージの対象部位として、首を対象とした首指圧枕が開示されている。
特許文献２の首指圧枕は、この枕を首に当てて仰向けに寝ることで頭の自重により頸椎部が引き伸ばされ肩こりなどが解消されるというもので、木製である。
【０００３】
【特許文献１】
特公平８ー４６１０号公報
【特許文献２】
特開２０００ー３３３８０６号公報
【０００４】
【発明が解決しようとする課題】
しかしながら、特許文献１のマッサージ装置は、マッサージ用の押圧部材を動かすための電気モータや駆動機構が装置内に組み込まれていて、形も大きく重量も重くなる。
特許文献２の首指圧枕は、硬質の木製であり形も持ち運びするには大きい。また、指圧効果の面からみると、首に当たる部分が広範囲でしかも均等に当たるので、いわゆる”つぼ”などの指圧効果という点では充分とはいえない。
また、首に当たる部分の曲面の曲率や枕の高さは固定されているので、使用する人の体格によっては枕の曲面や高さが適当でなく、指圧効果があまり期待できないこともある。
上記のように、従来のものは本来持ち運びすることは考えられておらず、また、特許文献２の首指圧枕の場合のように、指圧効果が充分でないものや使用する人の体格によりサイズが異なってくるという問題もある。
そこで、本発明においては、持ち運び可能で、使用する人の体格にこだわらなく、かつ、充分な指圧効果が得られる簡易な構造の首指圧器を提供することを課題としている。
【０００５】
【課題を解決するための手段】
上記の課題を解決するために本発明の首指圧器は、ハブ部と、該ハブ部の軸に対して平行でそれぞれ所定間隔を隔てた２本１組で、該軸に対して遠心方向に３方に突出した３組の指圧体とからなり、３組の該指圧体の内の２組の該指圧体で残りの１組の該指圧体を上方に突出させ、上方に突出した１組の該指圧体で首の背面部を指圧するようにしたことを特徴とする構成としている。
すなわち、本発明の首指圧器は、２本１組の指圧体がハブ部の軸に対して遠心方向に３方に突出しているので平面上に置いた時、図１に示すように６本の指状の指圧体のうち４本の指圧体が脚となり、残りの２本の指圧体が垂直に上を向いて安定する。
この上を向いた２本の指状の指圧体に横臥姿勢で首を載せることにより、首部に指圧効果が得られることとなる。
【０００６】
そして、本発明の首指圧器の前記指圧体は、硬質部材であることが望ましい。頭の重さは体重の約１／８もあるが硬質部材で充分な強度をもって構成しているので首を載せた時、頭の重さに耐えて指圧効果が充分期待できる。
【０００７】
また、２本１組の前記指圧体の先端部の間隔は、３組それぞれ異なった構成であることが望ましい。
本発明の首指圧器は２本１組の指圧体がハブ部の軸に対して遠心方向に３方に伸びていて、各組の指圧体のなす円周角は略１２０度と等しい（図１参照）。
従って、３組の指圧体のどの組の指圧体を上にして置いても、必ず残りの２組の指圧体が首指圧器を支える脚となる構造なので、３組の指圧体の先端部の間隔をそれぞれ異なったサイズにしておけば、使用する人の体格あるいは好みに応じて選択することが可能となる。
【０００８】
また、２本１組の指圧体の先端部の間隔は、３組とも同一の構成であってもよい。すなわち、本首指圧器を個人的に使用することに限定する場合は本構成としてもよい。
【０００９】
また、前記指圧体は前記ハブ部に対して着脱可能であるものでもよい。指圧体の長さの異なるものを準備しておき、交換することにより、図５で示す床面からの高さｈを変えることが出来るので使用する人の体格あるいは好みに応じて選択することが可能となる。
【００１０】
【発明の実施の形態】
以下に図面に基づいて本発明の首指圧器の実施の形態について実施例により説明する。
（実施例１）
図１は、本発明の実施例１の首指圧器を斜め上方向からみた斜視図である。また、図２は、図１の首指圧器を真横からみた側面図である。
図１において、実施例１の首指圧器９はハブ部４が中心に位置していて、ハブ部４から３組の指圧体１、２及び３が遠心方向に向けて伸びている。
そして、指圧体１は、１対の指状の指圧体１１と１２から構成されている。指圧体２は、指圧体２１と２２からなっており、指圧体３は、指圧体３１と３２からなっている。
図２の側面図に示すように指圧体１と指圧体２、指圧体２と指圧体３、及び指圧体３と指圧体１のなす角度はそれぞれ略１２０度と等間隔である。従って、図１に示すように指圧体１が上にくるように平らな床面等に置いたときには、指圧体２１、２２、３１、３２が４本の脚となり、首指圧器９は安定する。
一般に、首部の指圧に効果のある”つぼ”は、首を背面から見て、首と肩の付根の両サイドや首の上部（髪の生え際）の両サイドにあるといわれている。従って、本発明の指圧体は、それらの”つぼ”を押圧するように２本の指圧体を１組として構成している。
そこで、図３のように首の背面部に指圧体１１、１２を当てて仰向けに横臥すれば、頭の自重により”つぼ”の部分に対して適度の指圧効果が得られることとなる。
同様に指圧体２が上にくるように置いたときには、指圧体１１、１２、３１、３２が４本の脚となり、指圧体３が上にくるように置いたときには、指圧体１１、１２、２１、２２が４本の脚となり安定して置かれることとなる。
また、指圧体１１と１２の先端部の間隔をａ、  指圧体２１と２２の先端部の間隔をｂ、指圧体３１と３２の先端部の間隔をｃとすると、ａ、ｂ、ｃは異なったものとしている。これは、図３に示すように仰向きの横臥姿勢で首の背面部に当てるとき、使用する人の体格により首の太さが異なっても自分にあったサイズを選択できるようにするためである。
実施例１の場合は、ａは４ｃｍ、ｂは５．５ｃｍ、ｃは７ｃｍとしている。
また、本首指圧器を床面に置いたときの高さｈ（図２参照）も指圧体１、指圧体２及び指圧体３で変えている。すなわち、指圧体１が上にきたとき（指圧体１１、１２が首に当たるように置かれたとき）は、ｈは８ｃｍ、指圧体２が上にきたときは、ｈは９ｃｍ、指圧体３が上にきたときは、ｈは１０ｃｍとした構成としている。
本発明の首指圧器を構成する部材は硬質の樹脂であり、指圧体１１〜３２の先端は丸みを帯びた指状の形をしている。
なお、首指圧器を構成する部材は樹脂に限られるものではなく、金属や強度のある木製でもよく、また、骨格を強度のある金属とし、表面を樹脂や布でコーティングしたものでもよい。
【００１１】
（実施例２）
実施例２の首指圧器は、本発明の請求項４に係わるもので、形状は実施例１と同じで図１及び図２に示すとおりである。ただし、指圧体１、指圧体２及び指圧体３の指圧体の先端部の間隔、すなわちａ、ｂ、ｃが同一の場合である。
高さｈについては指圧体１が上にきたとき、指圧体２が上にきたとき、あるいは指圧体３が上にきたときでそれぞれ異なるようにしているが、もちろん、同一としてもよい。
【００１２】
（実施例３）
実施例３の首指圧器は、本発明の請求項５に係わるもので、図４に斜視図を、図５に側面図を示す。
図４に示すように硬質部材（例えば金属）のハブ部４０に６本の指圧体１０１、１０２、２０１、２０２、３０１、３０２が固着される。本実施例３の場合は指圧体のハブ部４０との結合部にはネジが切ってあり、ハブ部４０には指圧体のネジと勘合するネジ穴が設けられている。
ネジで固着されるようにしているので指圧体の長さの異なるものを準備しておけば、必要に応じて指圧体を交換することにより高さｈ（図５参照）を変えることが出来るようになっている。
図５の側面図に示すように指圧体１０と指圧体２０、指圧体２０と指圧体３０、及び指圧体３０と指圧体１０のなす角度は、それぞれ略１２０度と同一となっている。
【００１３】
【発明の効果】
以上説明したように、本発明の首指圧器は、２本１組の指圧体を３方向に等角度で伸ばした構成としたので、仰向きの横臥姿勢で首を首指圧器に載せることで指状の指圧体の先端が首部の”つぼ”を押圧して充分な指圧効果が得られる。
また、２本１組の指圧体が３組構成されているので、使用する人の体格によって指圧体の間隔や高さを選ぶことにより、より指圧効果を確実にすることが出来る。
さらに、簡易な構成としているので重量も軽く持ち運びも可能であるという利点もある。
【図面の簡単な説明】
【図１】本発明の実施例１の首指圧器の斜視図である。
【図２】図１の首指圧器の側面図である。
【図３】本発明の首指圧器の使用例の説明図である。
【図４】本発明の実施例３の首指圧器の斜視図である。
【図５】図４の首指圧器の側面図である。
【符号の説明】
１、１０：指圧体１                            ４、４０：ハブ部
２、２０：指圧体２                            ５：床面
３、３０：指圧体３                            ６：首部
９：首指圧器
１１、１２、２１、２２、３１、３２：指圧体
１０１、１０２、２０１、２０２、３０１、３０２：指圧体
【図１】
2004321443.tif 000003
【図２】
2004321443.tif 000004
【図３】
2004321443.tif 000005
【図４】
2004321443.tif 000006
【図５】
2004321443.tif 000007